(57)【特許請求の範囲】
【請求項１】
頭部に装着して、表示される映像を観察する映像表示装置であって、当該映像表示装置を頭部に固定する機能を有する２つの固定部と、前記固定部を連結する連結部と、前記固定部又は前記連結部に支持された表示部アームと、当該表示部アームの先端部に設けられ、使用者の眼に映像を表示する表示部と、前記表示部アームを、前記固定部の一つ又は前記連結部が支持するための支持部であって、前記表示部アームの垂直振りの動きを与えるように、前記表示部アームがその周りを回転する第１の回動ピンと、前記第１の回動ピンに嵌め込まれ、前記表示部アームの水平振りの動きを与えるように、前記第１の回動ピン中で回動する第２の回動ピンと、を含む支持部とを有し、前記表示部アームを水平状態としたとき、前記ヘッドホーンハウジングが、その上方で頭部側面から離れ、その下方で頭部側面に近づくような傾きを持つように、前記表示部アームが前記固定部又は前記連結部に支持されていることを特徴とする映像表示装置。
【請求項２】
前記固定部の傾きが、垂直方向に対して５〜２０°であることを特徴とする請求項１に記載の映像表示装置。
【請求項３】
前記表示部アームを前記固定部又は前記連結部に支持する支持位置が、耳軸より、１０〜３０ｍｍ上部にあることを特徴とする請求項１又は請求項２に記載の映像表示装置。
【発明の詳細な説明】
【技術分野】
【０００１】
本発明は、映像表示装置に関するものである。
【背景技術】
【０００２】
近年、液晶パネル（ＬＣＤ）等のディスプレイ上に表示された映像を、接眼レンズやハーフミラー等を有する光学系を介して拡大した虚像として観察する眼鏡タイプの映像表示装置が種々と提案され、ヘッドマウントディスプレイと呼ばれている。このようなヘッドマウントディスプレイの例は、例えばＷＯ２００４／０６１５１９Ａ１公報（特許文献１）に記載されている。【０００３】
その１例を図１に示す。このヘッドマウントディスプレイ１においては、２つのヘッドホーンハウジング２がリアアーム３によって連結されている。リアアーム３は、弾力性を有し、ヘッドマウントディスプレイ１を装着するときには、ヘッドホーンハウジング２を両耳位置に位置させ、リアアーム３の弾力により、人間の頭部（耳部）をヘッドホーンハウジング２で挟んで固定する。すなわち、ヘッドホーンハウジング２が固定部であり、リアアーム３が連結部である。装着時においては、図１に示すように、リアアーム３が後頭部方向を向くような位置で装着される。【０００４】
ヘッドホーンハウジング２には、表示部アーム４が支持部５を介して回動可能に取り付けられており、かつ、前後に摺動可能とされている。表示部アーム４の回動により、垂直振り、水平振りの動きが可能とされている。そして、表示部アーム４の先端部に、表示部ヒンジ６を介して、使用者の眼に映像を表示する表示部７が取り付けられている。表示部７は、表示部ヒンジ６の作用により、表示部アーム４に対してヨー、ロール、ピッチの動きが可能とされている。【０００５】
使用時には、図１に示すように、表示部アーム４を回動させると共に前後位置を調整し、かつ、表示部ヒンジ６を軸として表示部７を動かし、表示部７を使用者の眼前に位置させて映像を表示する。
【特許文献１】ＷＯ２００４／０６１５１９Ａ１公報
【発明の開示】
【発明が解決しようとする課題】
【０００６】
しかしながら、一般に人間の耳部における頭部の形状は、上部が大きく下部が小さくなっているため、ヘッドホーンハウジング２を耳部に装着した場合、図２に示すように、ヘッドホーンハウジング２が、斜めに装着される。もし、ヘッドホーンハウジング２が垂直方向を向いた位置において、表示部アーム４が水平となるように、表示部アーム４がヘッドホーンハウジング２に取り付けられると、図２に示されるように、装着時において、表示部アーム４が斜め（装着者側において高く、外側において低い傾斜）となり、表示部ヒンジ６を曲げて、表示部７を水平にする必要がある。よって、表示部７の調整が複雑になると共に、外観上もバランスの悪いものになると言う問題点がある。【０００７】
本発明はこのような事情に鑑みてなされたもので、表示部の調整が複雑にならず、外観上もバランスの良い映像表示装置を提供することを課題とする。
【課題を解決するための手段】
【０００８】
前記課題を解決するための第１の手段は、頭部に装着して、表示される映像を観察する映像表示装置であって、当該映像表示装置を頭部に固定する機能を有する２つの固定部と、前記固定部を連結する連結部と、前記固定部又は前記連結部に支持された表示部アームと、当該表示部アームの先端部に設けられ、使用者の眼に映像を表示する表示部と、前記表示部アームを、前記固定部の一つ又は前記連結部が支持するための支持部であって、前記表示部アームの垂直振りの動きを与えるように、前記表示部アームがその周りを回転する第１の回動ピンと、前記第１の回動ピンに嵌め込まれ、前記表示部アームの水平振りの動きを与えるように、前記第１の回動ピン中で回動する第２の回動ピンと、を含む支持部とを有し、前記表示部アームを水平状態としたとき、前記ヘッドホーンハウジングが、その上方で頭部側面から離れ、その下方で頭部側面に近づくような傾きを持つように、前記表示部アームが前記固定部又は前記連結部に支持されていることを特徴とする映像表示装置である。
【０００９】
前記課題を解決するための第２の手段は、前記第１の手段であって、前記固定部の傾きが、垂直方向に対して５〜２０°であることを特徴とするものである。
【００１０】
前記課題を解決するための第３の手段は、前記第１の手段又は第２の手段であって、前記表示部アームを前記固定部又は前記連結部に支持する支持位置が、耳軸より、１０〜３０ｍｍ上部にあることを特徴とするものである。
【００１１】
本発明の参考形態は、頭部に装着して、表示される映像を観察する映像表示装置であって、当該映像表示装置を頭部に固定する機能を有する２つの固定部と、前記固定部を連結する連結部と、前記固定部又は前記連結部に支持された表示部アームと、当該表示部アームの先端部に設けられ、使用者の眼に映像を表示する表示部とを有し、前記固定部は、装着時の上下方向又は前後方向の少なくとも一方向に傾斜するように、前記連結部に対して可動とされて支持されていることを特徴とする映像表示装置である。
【発明の効果】
【００１２】
本発明によれば、表示部の調整が複雑にならず、外観上もバランスの良い映像表示装置を提供することができる。
【図面の簡単な説明】
【００１３】
【図１】ヘッドマウントディスプレイの例を示す図である。
【図２】従来のヘッドマウントディスプレイを頭部に装着した状態を示す図である。
【図３】本発明の実施の形態であるヘッドマウントディスプレイを頭部に装着した状態を示す図である。
【図４】ヘッドホーンハウジングと、表示部アームの取り付け方法の例を示す図である。
【図５】本発明の他の実施の形態の１例であるヘッドマウントディスプレイの概要を示す図である。
【符号の説明】
【００１４】
１…ヘッドマウントディスプレイ、２…ヘッドホーンハウジング、３…リアアーム、４…表示部アーム、５…支持部、６…表示部ヒンジ、７…表示部、１１…ドライバ、１２…イアーパッド、１３…電気基板、１４…電気配線、１５…回動ピン、１６…回動ピン、１７…表示部アーム支持部材
【発明を実施するための最良の形態】
【００１５】
以下、本発明の実施の形態の例を図を用いて説明するが、この実施の形態の基本的な構成は、図１に示した従来のヘッドマウントディスプレイ１と変わらないので、同一の構成要素には同一の符号を付し、同じ部分の説明を省略して、図１に示すヘッドマウントディスプレイ１と異なる部分のみの説明を行う。【００１６】
この実施の形態においては、図３に示すように、ヘッドマウントディスプレイ１が装着され、表示部アーム４が水平状態とされたときに、ヘッドホーンハウジング２が斜め状態となって耳部に当接するように、表示部アーム４とヘッドホーンハウジング２の位置関係が定められている。すなわち、表示部アーム４が水平状態とされたとき、ヘッドホーンハウジング２は、その上部が頭部側面より離れ、その下部が頭部側面に近づくように傾斜する。【００１７】
逆に言えば、ヘッドホーンハウジング２が、その上部が頭部側面より離れ、その下部が頭部側面に近づくように傾斜したときに、表示部アーム４が水平状態となるようになっている。一般に人間の耳部における頭部の形状は、上部が大きく下部が小さくなっているため、ヘッドホーンハウジング２を耳部に装着した場合、ヘッドホーンハウジング２がこのような状態で装着され、そのときに表示部アーム４が水平状態となる。よって、自然な装着状態で、表示部アーム４が水平となり、表示部の調整が複雑にならず、外観上もバランスの良いものとなる。傾きの程度は、人間の頭部形状との関係上、装着時において表示部アーム４が水平状態のときのヘッドホーンハウジングの傾きが、垂直方向に対して５〜２０°であることが好ましい。【００１８】
なお、眼球の中心と耳軸の位置関係（表示部の幾何中心と耳軸間の距離）は、一般的に眼球中心が耳軸より１０〜３０ｍｍ上方にある。よって、表示部アーム４を水平にした状態で、かつ、表示部７も水平にして、表示部７を眼前に位置させるためには、表示部アーム４をヘッドホーンハウジング２に支持する支持位置が、耳軸より、１０〜３０ｍｍ上部にあるようにすることが好ましい。【００１９】
図４に、ヘッドホーンハウジング２と、表示部アーム４の取り付け方法の例を示す。ヘッドホーンハウジング２には、音声を発するドライバ１１とイアーパッド１２が取り付けられ、電気基板１３と電気配線１４とが収納されている。【００２０】
支持部５中には、回動ピン１５が嵌め込まれており、この回動ピン１５が支持部５中で回動し、図１に示す垂直振りの動きを与える。回動ピン１５の先端部分には、さらに別の回動ピン１６が嵌め込まれており、回動ピン１６が回動ピン１５中で回動し、図１に示す水平振りの動きを与える。回動ピン１６には、表示部アーム支持部材１７が取り付けられており、表示部アーム４は、表示部アーム支持部材１７に対して摺動可能とされ、図１に示す前後スライドの動きを与える。【００２１】
ヘッドホーンハウジング２の上下方向を、装着時の上下方向とし、その状態で、回動ピン１５を回動させて表示部アーム４を水平方向とした場合、図に示すように、ヘッドホーンハウジング２の向きは、斜めとなり、その向きと図に示す水平方向との角度は９０°以上となる。【００２２】
以下、本発明の他の実施の形態の例を、図を用いて説明する。図５は、本発明の他の実施の形態の１例であるヘッドマウントディスプレイ２０の概要を示す図である。このヘッドマウントディスプレイ２０は、図５に示すように、頭部（耳部）に接触してヘッドホーンを頭部に固定すると共に、耳に音声を出力するヘッドホーンハウジング２１（固定部）を左右に有している。【００２３】
ヘッドホーンハウジング２１内にはスピーカーが内蔵され、両耳に音声を出力する。左右のヘッドホーンハウジング２１は、図５に示すように、それぞれヘッドバンド部２２（連結部）により結合されている（ヘッドバンド部２２に対してある程度の動きが可能であり、上下方向または前後方向の少なくとも一方向に傾斜する）。ヘッドバンド部２２は、弾性力を有し、左右のヘッドホーンハウジング２１で装着者の頭部（耳部）を挟み込むような付勢力を与えている。【００２４】
このヘッドバンド部２２は、頭頂部分２２ａと頭側部分２２ｂとに分かれており、頭頂部分２２ａと頭側部分２２ｂは摺動によって間隔を可変することができるようになっている。また、ヘツドバンド部２２には、表示部アーム２３を介して、表示部２４が、装着時の前後方向に回動が可能なように結合されており、使用時には、表示部２４を眼前に位置させて表示部２４内に表示される映像を観察する。【００２５】
図３に示すヘッドマウントディスプレイ１と同様に、図５に示すヘツドマウントディスプレイ２０においても、ヘッドホーンハウジング２１の上下方向を、装着時の上下方向とし、その状態で、表示部２４を回動させて表示部アーム２３を水平方向とした場合、図５に示すように、ヘッドホーンハウジング２１の向きは、斜めとなり、その向きと図に示す水平方向との角度は９０°以上となる。
【図１】
0005163492.tif 000002
【図２】
0005163492.tif 000003
【図３】
0005163492.tif 000004
【図４】
0005163492.tif 000005
【図５】
0005163492.tif 000006